(57)【要約】  本発明は、プラットフォーム（３２）の上方に延在する翼（３１）と前記プラットフォームの下方に延在する根元（３３）とを有するタービンブレードであって、前記ブレードの根元は半径方向に延在するアーム（３４）の形態を有し、複合材料から作成され、少なくとも１つの円筒面（３４）を有し、その母線の方向は、遠心力の作用の下で前記円筒面上を固定片（５）がそこに向かって摺動できるように、前記プラットフォームの方向に配向されており、前記アームはその下部末端に、ブレードをタービンディスク（１）上に保持するための要素との係合のための半径方向支承点を形成する突起部（３５）を有すること、および根元（３３）は前記面に対して前記突起部の側面に完全に位置していることを特徴とする、タービンブレードに関する。
2015530518.tif 000002
【特許請求の範囲】
【請求項１】
プラットフォーム（３２）の上方に延在する羽根（３１）と前記プラットフォームの下方に延在する根元（３３）とを含むタービンブレードであって、前記ブレードの根元は半径方向に延在するアーム（３４）の形態を有し、複合材料から作成され、軸方向に配向された少なくとも１つの第一平面または円筒面を有し、その母線の方向は、タービンエンジンでの動作中に前記ブレード上に印加される遠心力の作用の下で前記平面または円筒面上を固定片（５）が摺動できるように、前記プラットフォームに向かって配向されており、
前記アームはその下部末端に、ブレードをタービンディスク（１）上に保持するための要素との協働のための半径方向支承点を形成する突起部（３５）を有すること、および根元（３３）は前記第一面に対して前記突起部の側面に完全に位置していることを特徴とする、タービンブレード。
【請求項２】
前記第一面が、半径方向に対して３０°以下の角度で配向されている、請求項１に記載のタービンブレード。
【請求項３】
前記アーム（３４）が第二平面または円筒面を含み、その母線の方向は、半径方向に配向された前記プラットフォームに向かって配向されており、そこから前記突起部が、第一面と反対の方向に延在する、請求項２に記載のタービンブレード。
【請求項４】
その周囲にタービンブレードを把持するための手段（２）を有するタービンエンジン用のタービンディスクであって、前記把持手段は軸方向に配向された第一平面または円筒（２５）面を有し、その母線の方向は半径方向平面内に配向されており、タービンエンジンでの動作中に前記ブレード上に印加される遠心力の作用の下で前記第一平面上を固定片（５）が摺動できるように、半径方向に対して４５°未満の角度を形成し、
前記把持手段は２つの半径方向半ディスクの間で軸方向に延在する桁材の形態を有して、前記桁材はタービンブレードを半径方向に保持するための要素（２４）を形成するように半径方向内向きに延在することを特徴とする、タービンディスク。
【請求項５】
把持手段（２）が軸方向に配向された２つの平面または円筒面（２４、２５）を有し、その母線の方向は４５°以下の角度でディスクの内側に向かって互いに収束し、一方は前記固定片を摺動させるための支持体を形成し、他方はその下部において、ブレードを半径方向に保持するための要素を形成する形状になっている、請求項４に記載のタービンディスク。
【請求項６】
両方の面が平坦であり、１つ目は半径方向に配向され、２つ目は半径方向に対して３０°以下の角度を形成する、請求項５に記載のタービンディスク。
【請求項７】
２つの平面または円筒面を有する固定片（５）をさらに含み、その母線の方向は把持手段の２つの円筒面の各々とそれぞれ平行に配向され、前記片は、前記把持手段の平面または円筒面（２５）のうちの１つに対して当接するように配置されている、請求項５または６に記載のタービンディスク。
【請求項８】
前記固定片が２つの平坦面を備えるくさびであって、一方は他方に対して３０°以下の角度を形成する、請求項７に記載のタービンディスク。
【請求項９】
請求項１から３のいずれか一項に記載のブレードが取り付けられた、請求項４から８のいずれか一項に記載の少なくとも１つのタービンディスクを含む、タービンエンジン。
【発明の詳細な説明】
【技術分野】
【０００１】
本発明の分野はタービンエンジンの分野であり、より具体的にはこれらタービンエンジンのタービンブレードの分野である。
【背景技術】
【０００２】
航空機用のタービンエンジンは一般的に、ガスの流れの方向で上流から下流に向かって、ファン、たとえば低圧圧縮機および高圧圧縮機などの１つ以上の圧縮機段、燃焼室、たとえば高圧タービンおよび低圧タービンなどの１つ以上のタービン段、および排ガス管を含む。タービンは各圧縮機に対応することが可能であって、２つはシャフトによって接続されており、こうしてたとえば高圧（ＨＰ）体および低圧（ＬＰ）体を形成する。
【０００３】
タービンブレードは、これらにかかる遠心力のため、非常に高い温度および高レベルの機械的応力に曝される部品である。具体的には、現代のエンジンの性能は、高圧タービンブレードが曝される温度が可能な限り高くなることを要求する。このため、これらのブレードは伝統的に金属材料で作られるが、しかしこれらのブレードを複合材料で、具体的にはセラミックマトリクス複合（ＣＭＣ）材料で作ることは、魅力的である。ＣＭＣで作られた部品の利点は、その低密度および良好な温度耐性である。その一方で、その主要な欠点は、応力に対する低い耐性および塑性変形に対する弱さであり、このことがブレードをタービンブレード用に使用することを困難にさせる。
【０００４】
ＬＰタービンブレードは比較的低めの温度に曝されるので、たとえば本出願人のフランス特許第２９４３９４２号明細書にあるような、ＬＰタービンブレードの設計にこの材料を使用するための研究が最初に行われたが、しかしこの技術をＨＰタービンブレードに使用することも魅力的であろう。
【０００５】
しかしながら、特にＣＭＣ材料の特徴を鑑みると、これらのファスナにおける応力のレベルは非常に高いので、ＣＭＣ技術をタービンブレードの製造に適用する際に直面する問題の１つは、これらのブレードを対応するタービンディスクに固定するように装置を設計することの難しさにある。
【０００６】
ディスクの歯にはまる蟻継ぎまたは球状部の従来型形状を有するＣＭＣで作られたファスナの研究は、この構成に関連付けられた困難の数を際立たせた。まず、このような蟻継ぎの場合、ブレード間で利用可能な空間によって寸法が厳しく制限されると、前記ブレードは高レベルな変形応力に曝されるが、これはＣＭＣには高すぎる。加えて、このような装置は複雑であるため、ＣＭＣで作成するのが困難な形状で実現される。通常は補強材を間に挿入するためにこれらの繊維を分離させることによって、球状部を作成する必要がある。そして曲げ応力は、これらの形状の複雑さによる応力集中因子によって、悪化させられる。最後に、このような蟻継ぎ型装置が作動するために、これらの部品の製造公差は制限されなければならず、これもまたＣＭＣで作られた部品で実現することは現時点では困難である。
【０００７】
しかしながら、本出願人のフランス特許第２６０８６７４号明細書、または米国特許第２７２７７１６号明細書、特開平０７−３３２００６号公報、または英国特許第９１４５４８号明細書にも記載されるものなど、複合材料で作られた高圧ブレード用の様々な構成が知られている。
【先行技術文献】
【特許文献】
【０００８】
【特許文献１】仏国特許発明第２９４３９４２号明細書
【特許文献２】仏国特許発明第２６０８６７４号明細書
【特許文献３】米国特許第２７２７７１６号明細書
【特許文献４】特開平０７−３３２００６号公報
【特許文献５】英国特許第９１４５４８号明細書
【発明の概要】
【発明が解決しようとする課題】
【０００９】
これらの構成は、付属部品の実装を伴う多数の作業を必要とするので、ディスクに適合するのが困難であるという不都合を有する。具体的には、ディスクの外面からこれらを適合させることは可能ではなく、これはＨＰタービンホイールにブレードを装着するための時間に関して実質的な利点を呈する。本発明の目的は、ＣＭＣのブレードの作成と適合し、ディスク上に実装するのが比較的容易かつ迅速である、タービンブレードを固定するための装置を提案することにより、これらの不都合を是正することである。
【課題を解決するための手段】
【００１０】
この目的のため、本発明の対象は、プラットフォームの上方に延在する羽根と前記プラットフォームの下方に延在する根元とを含むタービンブレードであって、前記ブレードの根元は半径方向に延在するアームの形態を有し、複合材料から作成され、軸方向に配向された少なくとも１つの第一平面または円筒面を有し、その母線の方向は、タービンエンジンでの動作中に前記ブレード上に印加される遠心力の作用の下で前記平面または円筒面上を固定片が摺動できるように、前記プラットフォームに向かって配向されており、前記アームはその下部末端に、ブレードをタービンディスク上に保持するための要素との協働のための半径方向支承点を形成する突起部を有すること、および根元は前記第一面に対して前記突起部の側面に完全に位置していることを特徴とする。
【００１１】
ブレード根元に付与された形状は、ディスク上に位置する協働壁に対して押し込む固定片によって、ブレードがディスクに取り付けられるようにする。このため、ディスク上に保持されることを保証しながらブレードに単純な形状を付与することが可能である。得られた形状の単純さにより、セラミックマトリクス複合材料からブレードを作成することが可能になる。加えて、その下部における突起部の存在により、ブレードが保持されることを保証する、半径方向支持体が提供されるようにする。最後に、固定片が摺動する面に対してこの突起物と同じ側にブレード全体が位置するという事実により、ブレードがディスクの外面から取り付けられることを可能にし、これによりその取り付けを非常に容易にする。
【００１２】
有利なことに、前記第一面は、半径方向に対して３０°以下の角度で配向されている。この角度は、ブレードの根元上の高度な固定圧と固定片の低レベルの半径方向変位と組み合わせて良好な妥協を与える。
【００１３】
好ましくは、前記アームは第二平面または円筒面を含み、その母線の方向は、半径方向に配向された前記プラットフォームに向かって配向されており、そこから前記突起部が、第一面と反対の方向に延在する。このためブレードの根元は、その形状の単純さに関して最適な形状を取り、複合材料からの部品の作成を容易にする。
【００１４】
本発明はまた、その周囲にタービンブレードを把持するための手段を有するタービンエンジン用のタービンディスクにも関し、前記把持手段は軸方向に配向された第一平面または円筒面を有し、その母線の方向は半径方向平面内に配向されており、タービンエンジンでの動作中に前記ブレード上に印加される遠心力の作用の下で前記第一平面上を固定片が摺動できるように、半径方向に対して４５°未満の角度を形成し、前記把持手段は２つの半径方向半ディスクの間で軸方向に延在する桁材の形態を有して、前記桁材はタービンブレードを半径方向に保持するための要素を形成するように半径方向内向きに延在することを、特徴とする。
【００１５】
このような角度は、タービンエンジンでの動作中に前記ブレード上に印加される遠心力の作用の下で、適切な形状の固定片が把持手段の傾斜円筒面上を摺動できるようにするのに十分に小さいと見なされている。この固定動作を容易にするために、いかなる摩擦効果も排除するため、これらの片の間の境界に転動要素または変形可能ストリップを導入することが可能であることは、特筆すべきである。
【００１６】
有利なことに、把持手段は軸方向に配向された２つの平面または円筒面を有し、その母線の方向は４５°以下の角度でディスクの内側に向かって互いに収束し、一方は前記固定片を摺動させるための支持体を形成し、他方はその下部において、ブレードを半径方向に保持するための要素を形成する形状になっている。
【００１７】
好適な実施形態において、両方の面は平坦であり、１つ目は半径方向に配向され、２つ目は半径方向に対して３０°以下の角度を形成する。好ましくは、タービンディスクはまた２つの平面または円筒面を有する固定片を有し、その母線の方向は把持手段の２つの円筒面の各々とそれぞれ平行に配向され、前記片は、前記把持手段の平面または円筒面のうちの１つと当接するように配置されている。
【００１８】
好ましくは、前記固定片は２つの平坦面を備えるくさびであって、一方は他方に対して３０°以下の角度を形成する。
【００１９】
最後に、本発明は、先に記載されたようなブレードが取り付けられた、少なくとも１つのこのようなタービンディスクを含むタービンエンジンに関する。
【００２０】
添付図面を参照して純粋に説明的および非限定的な例として与えられる、本発明の以下の詳細な説明的記述を通じて、本発明はより良く理解され、その目的、詳細、特徴、および利点はより明らかとなるだろう。
【図面の簡単な説明】
【００２１】
【図１】本発明の実施形態による、ＣＭＣで作られてファスナによって保持されたブレードを備える、タービンディスクの斜視図である。
【図２】図１の詳細図である。
【発明を実施するための形態】
【００２２】
図１を参照すると、タービンエンジンの流路内のガスの循環方向に対して上流の１ａおよび下流の１ｂが付された２つの半ディスクに分割される、タービンディスク１の上部が見える。図面の見やすさのため、下流半ディスク１ｂの上部輪郭のみが示されている。２つの半ディスクの上部の間には、半ディスクの半径方向面を互いに接続し、ディスク１に取り付けられたタービンブレードの保持力をこれらに伝達する、コネクタの形態のいくつかの桁材２が、軸方向に延在している。桁材２の数はディスクに取り付けられたブレード３の数に等しく、ブレードの各々は２つの連続する桁材２の間の位置を占有している。これらの桁材は、この形状が必須というわけではないものの、Ｈ字型の半径方向断面を有している；しかしながら重要な特徴は、その形状が、その特定の配向が図２に関連してより詳細に記載されることになる２つの側面を有するということである。
【００２３】
タービンブレードは、これらの半ディスク１ａおよび１ｂの外縁上にあるプラットフォーム３２の上方で半径方向に延在する、羽根３１を有する。さらにこれは、ＣＭＣタイプの複合材料で作られて半径方向に延在する壁の形態を取り、言い換えるとプラットフォーム３２に対して直角に、そして軸平面内に配向されて、言い換えると前記プラットフォームの面のうちの１つに沿って、根元３３を通ってこのプラットフォームの下方に延在する。この壁は、その主要なアームが桁材２の半径方向範囲を超えて延在するまで半径方向に延在する、大文字Ｊのような形状の半径方向断面を有する；これは、フックを形成する突起部内で終端し、そこで当接してディスクに対するブレードの正確な位置決めを提供するためにこの桁材の下方を通るように意図される。
【００２４】
図２は、半径方向断面において、ブレード３をタービンディスク１上に保持するのに役立つ異なる要素の配置を示す。桁材２は第一の側に、そこでそれに対して根元３３の半径方向アーム３４に当接して、その下で根元３３の末端を形成するフック３５が所定位置に来る、略半径方向面２４を周方向に含む。反対側には、これは固定片５のための斜面を形成するように、軸平面と位置合わせされているがおよそ３０°の角度で半径方向平面に対して傾斜している面２５を含む。固定片は、ブレードの根元の半径方向アーム３４と桁材２の傾斜面２５との間に挿入され、その先端がプラットフォーム３２に向かって配向されている、くさびの形状である。したがってこれは、片側にはブレード３の根元の平坦な半径方向アーム３４と協働する、半径方向に配向された平坦面を、そして反対側には傾斜面を有しており、この面もまた、桁材２の傾斜面２５と平行に位置合わせされるため、およびディスク１上の所定位置にブレード３を保持するようにこれと協働するために、その半径方向に対しておよそ３０°の角度である。
【００２５】
回転中、固定片５は遠心力場の効果の下で、傾斜面２５の長さに沿って摺動し、こうして表面３４に対して圧力を印加することに資する。この圧力は接着効果を生じるが、これはブレードが経験する遠心力が吸収されることを可能にする。
【００２６】
傾斜面２５に対する固定片５の動きは、これら２つの片の間の所定位置にローラまたは変形可能ストリップを置くことによって促進される可能性があることは、特筆すべきである；これは、これら２つの片の間の摩擦をこれによって低減させるからである。
【００２７】
図２はまた、断面において、片側ではブレード根元の半径方向アーム３４、反対側では桁材２の傾斜面２５に対する圧力の下で固定片５を保持するためのバネ６を形成する、Ｖ字型断面を備える環状部品も示している。これはディスクの外周に沿って、桁材２の内側基部に対して当接するこのバネのＶ字の第一アームを延在させ、その一方でＶ字の第二アームは固定片５の内面に対して圧力を印加して、タービンエンジンが停止しているときおよびそこに遠心力が印加されていない間、この片を外向きに押し返す。
【００２８】
ここで、タービンディスク上のＣＭＣで作られたタービンブレードの位置決めおよび本発明による固定装置によってこれがどのようにして固定されるか、さらにタービンエンジンの動作中にブレードをディスク上に固定する原理も、説明される。
【００２９】
したがってディスク１は、２つの半ディスク１ａおよび１ｂによって支承され、その下部に空き空間を有する、一連の桁材２を有する。
【００３０】
作業者はまず、２つの隣り合う桁材２の間の既存の空間にバネ６を通して、取り付けられるブレードを接合する桁材２の中心孔の内側にＶ字の最も内側のアームの軸末端を配置することによって、バネ６を実装する。同様に、作業者は、固定片５をこの空間に通し、その内面を通じて、バネ６のＶ字の第二アームに対して当接する。次に、固定片５を下向きに押してバネを圧縮させ、これによって先の桁材２から離しながら、ブレードの根元３３の下部のフック３５が桁材の半径方向アーム２４の下に通されるまで、作業者は取り付けられるブレードの根元３３を同じ空間内に導入する。するとブレードは、そのフックによって半径方向に位置決めされ、上方に逃げることができなくなる。次に作業者は、バネ６の効果の下で上方に移動する固定片５を解放し、隣接する桁材２の傾斜面２５に沿って摺動しながら、まずブレード根元の半径方向面３４を押し戻し、次にその支承桁材に対してこれを押圧し、これによってブレードを所定位置に置いてこれをディスク１上に安定的に配置する。
【００３１】
バネが使用されないバージョンでは、固定片は、タービンエンジンの回転中に印加される遠心力によって所定位置に置かれ、部品５を外向きに担持して、隣接する桁材２の傾斜面２５を上方に摺動させる。同じ結果、すなわちブレード根元はその支承桁材２に対して固定片によって固定され、ブレード３はそのフック３５、および前記フックと桁材の半径方向アーム２４との協働によってディスク１上に安定的に保持されるという結果が、以前と同様に使用中に達成される。
【００３２】
ブレードが自身の遠心力の作用の下で動くのを防止する接着の形態を取るこの固定力は、固定片の遠心力に比例すること、したがってこれがブレードの遠心力に比例することは、特筆すべきである。このため、どんな回転速度であっても、具体的にはブレードを担持するロータの過速度の場合でも、ブレードが外れる危険性はない。
【００３３】
本発明によって与えられる主要な利点は、以下のようにまとめられる：
システムは、ブレードとディスクとの間の遊びの量を自動的に補う。このため、ディスクの熱機械的膨張がどの程度であっても、固定はディスクの回転速度のみによって決められるので、いつも同じになる。
【００３４】
このシステムはブレードの形状に自然に適合するので、ブレードの根元３３または固定片５の正確な製造公差を必要としない。したがって、複合材ファスナの面を研磨する必要がなく、これにより製造費用をさらに削減する。
【００３５】
複合材料で作られたブレード根元３３の形状は、純粋な長方形なのでそれ自体非常に単純である；したがって、製造費用は高くない。
【００３６】
ブレード３の根元３３とその固定片５との間の接触表面は、可能な限り大きくすることができる；したがって、複合材の塑性変形応力を制限するためにこれを調節すること、ひいては根元に使用される材料にとって許容可能なレベルの塑性変形応力の範囲内にとどまることが、可能である。
【００３７】
最後に、固定片の重量は極端に軽く、通常は約１０グラムである。したがって、桁材を空洞化して上述のＨ字形状を付与し、その一方で、ブレード根元の半径方向アーム３４および固定片の傾斜アーム２５に対して当接させるように２つの平坦面を維持することが、可能である。桁材２の重量におけるこの減少は、ブレードを作成するためのＣＭＣ材料の選択によって得られる重量の減少と相まって、特に軽量であってその寸法も小さいディスクを有することを、可能にする。
【００３８】
本発明は、固定片５がその上を摺動する根元の半径方向部分３４のための平坦面を用いて記載されてきた。前記固定片が、ディスクの外側に向かう摺動する動きにおいてこれと協働する面を有するならば、本発明は固定片と接触している根元の部分のための非平坦面を用いてもなされ得ることは、自明である。このため、タービンエンジンの動作中に前記ブレードに印加される遠心力の作用の下で、適切な形状を備える固定片が摺動できるようにするので、その母線の方向がプラットフォームに向かって配向されているいずれの円筒形表面も、本発明の実現を可能にする。
【００３９】
その母線の方向が半径方向に対して４５°未満の角度で配向されている、円筒面を有することが可能な桁材２の傾斜面２５にも、同じことが該当する。このような角度は、タービンエンジンの動作中に前記ブレードに印加される遠心力の作用の下で適切な形状を備える固定片を前記傾斜円筒面上で摺動させるのに十分なほど、まだ小さいと考えられる。しかしながら理想的には、これが静止させる部品の面に沿ったくさびの動きが大きくなりすぎることなく、固定片が十分な支承力を提供するように、固定片５を形成するくさびの頂点における角度はおよそ３０°である。
【図１】
2015530518.tif 000003
【図２】
2015530518.tif 000004
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
プラットフォーム（３２）の上方に延在する羽根（３１）と前記プラットフォームの下方に延在する根元（３３）とを含むタービンブレードであって、前記ブレードの根元は半径方向に延在するアーム（３４）の形態を有し、複合材料から作成され、軸方向に配向された少なくとも１つの第一平面または円筒面を有し、その母線の方向は、タービンエンジン上での動作中に前記ブレード上に印加される遠心力の作用の下で前記平面または円筒面上を固定片（５）が摺動できるように、前記プラットフォームに向かって配向されており、
前記アームはその下部末端に、根元（３３）の末端を形成してブレードをタービンディスク（１）上に保持するための要素との協働のための半径方向支承点を提供する突起部（３５）を有すること、および根元（３３）は前記第一面に対して前記突起部の側面に完全に位置していることを特徴とする、タービンブレード。
【請求項２】
前記第一面が、半径方向に対して３０°以下の角度で配向されている、請求項１に記載のタービンブレード。
【請求項３】
前記アーム（３４）が第二平面または円筒面を含み、その母線の方向は、半径方向に配向された前記プラットフォームに向かって配向されており、そこから前記突起部が、第一面と反対の方向に延在する、請求項２に記載のタービンブレード。
【請求項４】
その周囲に請求項１から３のいずれか一項に記載のタービンブレードを把持するための手段（２）を有するタービンエンジン用のタービンディスクであって、前記把持手段は軸方向に配向された第一平面または円筒（２５）面を有し、その母線の方向は半径方向平面内に配向されており、タービンエンジン上での動作中に前記ブレード上に印加される遠心力の作用の下で前記第一平面上を固定片（５）が摺動できるように、半径方向に対して４５°未満の角度を形成し、
前記把持手段は２つの半径方向半ディスクの間で軸方向に延在する桁材の形態を有して、前記桁材はタービンブレードを半径方向に保持するための要素（２４）を形成するように半径方向内向きに延在することを特徴とする、タービンディスク。
【請求項５】
把持手段（２）が軸方向に配向された２つの平面または円筒面（２４、２５）を有し、その母線の方向は４５°以下の角度でディスクの内側に向かって互いに収束し、一方は前記固定片を摺動させるための支持体を形成し、他方はその下部において、ブレードを半径方向に保持するための要素を形成する形状になっている、請求項４に記載のタービンディスク。
【請求項６】
両方の面が平坦であり、１つ目は半径方向に配向され、２つ目は半径方向に対して３０°以下の角度を形成する、請求項５に記載のタービンディスク。
【請求項７】
２つの平面または円筒面を有する固定片（５）をさらに含み、その母線の方向は把持手段の２つの円筒面の各々とそれぞれ平行に配向され、前記片は、前記把持手段の平面または円筒面（２５）のうちの１つに対して当接するように配置されている、請求項５または６に記載のタービンディスク。
【請求項８】
前記固定片が２つの平坦面を備えるくさびであって、一方は他方に対して３０°以下の角度を形成する、請求項７に記載のタービンディスク。
【請求項９】
請求項１から３のいずれか一項に記載のブレードが取り付けられた、請求項８に記載のタービンディスクを少なくとも１つ含む、タービンエンジン。
【国際調査報告】
2015530518.tif 000005
2015530518.tif 000006
2015530518.tif 000007
2015530518.tif 000008
2015530518.tif 000009
2015530518.tif 000010
2015530518.tif 000011
2015530518.tif 000012
2015530518.tif 000013
2015530518.tif 000014